(57)【要約】      （修正有）【課題】ドライアイス砕片がもっぱら筐体の上部にだけ集中して存在するため、筐体底部が冷えにくいという課題を解決するためになされたものであり、保冷剤の砕片を筺体にバランス良く保持し、冷気分布を均一にすることが可能な保冷容器用シートを提供する。【解決手段】保冷容器３の筺体１に収容した収容物４と筐体１の開口部との間に、多数のランダムなループを形成するように連続線状の弾性素材を立体的に曲がりくねらせ、こうして形成された各ループ同士が接する箇所を融着した構造の層状網目部を備えた保冷容器用シート５を設け、層状網目部上にドライアイス砕片を散布する。【選択図】図１
2011148514.tif 000002
【特許請求の範囲】
【請求項１】
保冷容器の開口部を覆う形状のシートであって、
このシートが、連続線状の弾性素材を立体的に曲がりくねらせて出来た多数のランダムなループ同士を互いに融着して形成した立体的な網目構造体から成ることを特徴とする保冷容器用シート。
【請求項２】
前記シートの一側辺を加熱加圧して扁平な接着部を形成し、当該接着部を介して前記保冷容器の内壁に取り付けるようにした請求項１記載の保冷容器用シート。
【請求項３】
前記接着部に面ファスナーを設け、これと対をなすもう一方の面ファスナーを帯状のシート取付具に備え、このシート取付具に備える接着面を前記保冷容器の内壁に接着して前記シートを前記保冷容器に対し着脱自在に取り付けるようにして成る請求項２記載の保冷容器用シート。
【請求項４】
網目構造体の外縁を平坦化した平坦部が設けられることを特徴とする請求項１記載の保冷容器用シート。
【請求項５】
前記シートの底面に、前記網目構造体よりも網目の細かいメッシュシートを貼り合わせたことを特徴とする請求項１記載の保冷容器用シート。
【請求項６】
保冷容器の内部底面に敷設する形状のシートであって、
このシートが、連続線状の弾性素材を立体的に曲がりくねらせて出来た多数のランダムなループ同士を互いに融着して形成した立体的な網目構造体から成ることを特徴とする保冷容器用シート。
【請求項７】
保冷容器の内壁に沿って敷設する形状のシートであって、
このシートが、連続線状の弾性素材を立体的に曲がりくねらせて出来た多数のランダムなループ同士を互いに融着して形成した立体的な網目構造体から成ることを特徴とする保冷容器用シート。
【発明の詳細な説明】
【技術分野】
【０００１】
この発明は、開口部から筐体に収容物を収容して保冷剤の砕片を散布し、開口部を上蓋で閉じることにより収容物を保冷することが可能な保冷容器の分野に係るものである。
【背景技術】
【０００２】
アイスボックスやアイスバッグ、クーラーボックスなどの保冷容器は、冷凍食品その他の収容物を保冷剤により保冷しながら持ち運ぶための上蓋開閉式容器である。一般に、筐体や上蓋は二重壁の断熱構造となっており、その外壁や内壁には合成樹脂が、外壁と内壁との間の断熱材には発泡スチロールやポリウレタン、グラスウールが用いられる。容量は用途に応じて大小様々であり、釣りやキャンプなどのレジャーから冷凍食品の配送業務まで幅広く利用される。
【０００３】
保冷剤としては、冷却能力の高さ、取扱いの容易さ、昇華するため収容物を濡らすことがないなどの長所により、ドライアイスがしばしば用いられる。氷量一定という条件であれば、ドライアイスをどれだけ上手に利用できるかが保冷容器の保冷効果を高めるための重要なポイントである。
【０００４】
例えば、ドライアイスを大きくブロック化したまま収容物とともに筐体に入れると、その体積のわりには表面積が小さいために昇華の効率が悪く、保冷効果がさほど期待できない。加えて、ドライアイスの近傍と遠い場所とでは、温度に大きな差が生じ、筐体内の冷気分布が著しく偏ってしまう。
【０００５】
逆に、表面積を増やして昇華しやすくするためにドライアイスを小さく砕き、筐体に収納した収容物の上へそのまま単純に散布した場合は、保冷容器を持ち運ぶ際の振動によりドライアイス砕片のほとんど全てが収容物同士の隙間を縫って筐体の底部まで落下してしまい、やはり偏りが生じる。しかも冷気は低い所から高い所へは流れないので、筐体の上部にある収容物を保冷できなくなる。
【０００６】
このため、従来の保冷容器では、例えば次のような工夫がされている（特許文献１を参照）。
図８は従来の保冷容器の構成を示す図であり、保冷容器の断面図を表している。
図８において、１０１は筐体、１０２は上蓋、１０３は筐体１０１と上蓋１０２とからなる保冷容器、１０４は筐体１０１に収容された冷凍食品などの複数の収容物、１０５はガス透過性シート、１０６はドライアイス砕片である。
【０００７】
ガス透過性シート１０５は、収容物１０４の上に被せて使用するものであり、堰を形成してその面を４分割している。そして、４分割された面の各領域では、ガス透過性シート１０５がゆるく弛むようになっている。
【０００８】
次に作用について説明する。
筐体１０１に収容した収容物１０４の上にガス透過性シート１０５を被せ、ドライアイス砕片１０６をガス透過性シート１０５上に均一に散布する。この場合、ガス透過性シート１０５は弛むようになっているので、ドライアイス砕片１０６の重さで、隣り合う収容物１０４同士の隙間にガス透過性シート１０５の弛みが入り込む。
【０００９】
したがって、ガス透過性シート１０５上に散布したドライアイス砕片１０６はこの弛みに入り込み、最上段にある収容物１０４を包むような状態となる。最上段はドライアイス砕片１０６をそのまま単純に散布した場合に保冷効果が低かった場所なので、この場所の収容物１０４を効果的に保冷することが可能となる。
【先行技術文献】
【特許文献】
【００１０】
【特許文献１】特許第３３２９７４８号
【発明の概要】
【発明が解決しようとする課題】
【００１１】
しかし従来の保冷容器では、ドライアイス砕片がもっぱら筐体の上部にだけ集中して存在するため筐体底部が冷えにくいという課題があった。
【００１２】
このため収容物１０４の収容の仕方や量によっては、ガス透過性シート１０５上のドライアイス砕片１０６の冷気が筐体１０１の底部まで流れず、底部の収容物１０４が保冷されにくかった。
【００１３】
特に、トラックなどの車両で保冷容器１０３を運搬する場合、走行中に車両の荷台から上がってくる熱で筐体１０１の底部の温度が上昇しやすいため、筐体底部の収容物１０４が冷却不足になりやすいという課題があった。
【００１４】
また、従来の保冷容器１０３では、ガス透過性シート１０５に形成した堰によりドライアイス砕片１０６の偏りを抑制しようとしているが、堰で分割された区画内ではドライアイス砕片１０６はやはり振動により移動して偏るため、これも不均一な冷気分布が生じる原因となっている。
【００１５】
この発明は上記のような課題を解決するためになされたものであり、保冷剤の砕片を筺体にバランス良く保持し、冷気分布を均一にすることが可能な保冷容器用シートを提供することを目的とする。
【課題を解決するための手段】
【００１６】
請求項１記載の保冷容器用シートは、保冷容器の開口部を覆う形状のシートであって、このシートが、連続線状の弾性素材を立体的に曲がりくねらせて出来た多数のランダムなループ同士を互いに融着して形成した立体的な網目構造体からなるものである。
【００１７】
請求項２記載の保冷容器用シートは、前記シートの一側辺を加熱加圧して扁平な接着部を形成し、当該接着部を介して前記保冷容器の内壁に取り付けるようにしたものである。
【００１８】
請求項３記載の保冷容器用シートは、前記接着部に面ファスナーを設け、これと対をなすもう一方の面ファスナーを帯状のシート取付具に備え、このシート取付具に備える接着面を前記保冷容器の内壁に接着して前記シートを前記保冷容器に対し着脱自在に取り付けるようにして成るものである。
【００１９】
請求項４記載の保冷容器用シートは、網目構造体の外縁を平坦化した平坦部が設けられるようにしたものである。
【００２０】
請求項５記載の保冷容器用シートは、前記シートの底面に、前記網目構造体よりも網目の細かいメッシュシートを貼り合わせたものである。
【００２１】
請求項６記載の保冷容器用シートは、保冷容器の内部底面に敷設する形状のシートであって、このシートが、連続線状の弾性素材を立体的に曲がりくねらせて出来た多数のランダムなループ同士を互いに融着して形成した立体的な網目構造体から成るようにしたものである。
【００２２】
請求項７記載の保冷容器用シートは、保冷容器の内壁に沿って敷設する形状のシートであって、このシートが、連続線状の弾性素材を立体的に曲がりくねらせて出来た多数のランダムなループ同士を互いに融着して形成した立体的な網目構造体から成るようにしたものである。
【発明の効果】
【００２３】
請求項１記載の保冷容器用シートによれば、保冷容器の開口部に保冷容器用シートを設けて保冷剤の砕片を散布すると、網目構造体の網目よりも小さな保冷剤の砕片は網目構造体の網目を通過して保冷容器の底部に溜まり、網目構造体の網目よりも大きな保冷剤の砕片は網目構造体の厚みの中や網目構造体の上面に留まるため、保冷剤の砕片を保冷容器の底部および上部にバランス良く保持できるようになり、冷気分布を均一にできるという効果が得られる。
【００２４】
請求項２記載の保冷容器用シートによれば、接着部により、既製の保冷容器に対して保冷容器用シートを保冷容器に簡単に後付けでき、保冷容器用シートが紛失しにくくなるという効果が得られる。
【００２５】
請求項３記載の保冷容器用シートによれば、シート取付具により、既製の保冷容器に対して保冷容器用シートを簡単に後付けでき、保冷容器用シートが紛失しにくくなり、加えて、一対の面ファスナーにより保冷容器用シートが着脱自在になり、保冷容器用シートの交換が容易になるという効果が得られる。
【００２６】
請求項４記載の保冷容器用シートによれば、保冷容器用シートがほつれにくくなり、保冷容器用シートの強度・寿命を向上できるという効果が得られる。
【００２７】
請求項５記載の保冷容器用シートによれば、網目構造体の網目より小さな保冷剤の砕片もメッシュシートに通過を阻止され保冷容器の底部に落下しない。このため収容物を外に取り出すとき、保冷剤の砕片が手に触れて低温火傷のような危険がなく、安全である。そのうえ、大きな保冷剤の砕片は網目構造体の表層に留まりメッシュシートまで到達しないから、底面のメッシュシートには霜が付着しない。仮に霜が付着するとメッシュシートが目詰まりして通気性が低下し、保冷剤の冷気が容器内部に行き渡らないおそれがあるが、この保冷容器用シートによれば、そのような不都合を回避できる。
【００２８】
請求項６記載の保冷容器用シートによれば、層状網目部の厚みの分だけ保冷容器の底部から収容物が離れ、この離れた分だけ収容物に対する伝熱の影響を軽減でき、保冷容器の底部全面に渡って保冷剤の冷気が広がるため、底部の保冷効果を改善でき、保冷容器用シートの弾性により保冷容器の底部から収容物に伝わる衝撃を緩和できるという効果が得られる。
【００２９】
請求項７記載の保冷容器用シートによれば、保冷容器の内壁全面に渡って保冷剤の冷気が広がるため、内壁の保冷効果を改善でき、保冷容器用シートの弾性により保冷容器の内壁から収容物に伝わる衝撃を緩和できるという効果が得られる。
【図面の簡単な説明】
【００３０】
【図１】この発明の実施の形態１による保冷容器の構成を示す図である。
【図２】この発明の実施の形態１による保冷容器用シートの構成を示す図である。
【図３】この発明の実施の形態１による保冷容器の作用を説明するための図である。
【図４】この発明の実施の形態１による保冷容器の効果の一つを説明するための図である。
【図５】この発明の実施の形態２による保冷容器の構成を示す図である。
【図６】この発明の実施の形態３による保冷容器の構成を示す図である。
【図７】この発明の実施の形態３による保冷容器の構成を示す図である。
【図８】従来の保冷容器の構成を示す図である。
【発明を実施するための形態】
【００３１】
以下、図面を参照しつつ、この発明の実施の形態を詳細に説明する。なお、各図面では、同一の構成または相当する構成については同一の符号を付す。
実施の形態１．
図１はこの発明の実施の形態１による保冷容器の構成を示す図である。図１（ａ）は上蓋および保冷容器用シートを開けた状態での保冷容器の外観図、また、図１（ｂ）は収容物を収容して上蓋および保冷容器用シートを閉じた状態での保冷容器の断面図をそれぞれ表している。
【００３２】
図１（ａ），図１（ｂ）において、１は断熱構造の筐体、２は筐体１の開口部に設けられた断熱構造の上蓋、３は筐体１および上蓋２からなる保冷容器、４は筐体１に収容された冷凍食品などの複数の収容物、５は保冷容器用シートである。保冷容器用シート５は、筺体１の開口部と筺体１に収容された収容物４との間に設けられる。
【００３３】
図２はこの発明の実施の形態１による保冷容器用シートの構成を示す図であり、図２（ａ）は保冷容器用シートの断面図、図２（ｂ）は保冷容器用シートの上面図、図２（ｃ）は保冷容器用シートの層状網目部を一部拡大した斜視図をそれぞれ表している。
【００３４】
図２（ａ）〜図２（ｃ）において、５Ａは層状網目部、５Ｂは発泡ポリエチレン製のツマミ部、５Ｃは平坦部、５Ｄは接着部、５Ｄ−１は面ファスナー、５Ｅはシート取付具、５Ｅ−１は接着面、５Ｅ−２は面ファスナー５Ｄと対をなすもう一方の面ファスナーである。
【００３５】
層状網目部５Ａは、図２（ｃ）に示したように、連続線状の弾性素材を立体的に曲がりくねらせて出来た多数のランダムなループ同士を互いに融着して形成した立体的な網目構造体であり、その見掛け密度は０．００５〜０．２０ｇ／ｃｍ３となっている。
【００３６】
したがって層状網目部５Ａは、網のように広がりを持ち（図２（ｂ））、多数の網目が形成されており、ドライアイス砕片のような粒体をその上に散布すると、網目より小さいものを通過させる。つまり、サイズの異なる粒体に対してフィルタとして機能するようになっている。また、平面的なシートに多数の孔を開けた単純なメッシュ構造とは違って、層状で厚みを有しているので（図２（ａ））、ある程度のサイズの粒体をその厚みの中に保持する。
【００３７】
層状網目部５Ａの具体例として、東洋紡績（株）の「ブレスエアー（登録商標）」（特許第３６８６６９０号）や、新光ナイロン（株）の「ヘチマロン（登録商標）」などがある。これらは、ポリエステル系樹脂のような熱可塑性樹脂により作られているため、材質的に低温環境下でも硬化してもろくならず弾力性を維持できる。
【００３８】
なお、保冷容器用シート５は、その全面で筐体１の開口部を覆うように形成することが好ましいので、図２（ｂ）の上面図における保冷容器用シート５の形状、つまり縦と横の長さは、筐体１の開口部の形状、つまり縦と横の長さとほぼ一致する寸法にする。実際の試作では、縦５０ｃｍ，横３２ｃｍの開口部に対し、１．５ｃｍの厚みを持つ層状網目部５Ａの縦を４０ｃｍ，横を２２ｃｍとし、保冷容器用シート５の縦を４５ｃｍ，横を３０ｃｍとした。
【００３９】
また、図２の保冷容器用シート５において、ツマミ部５Ｂや接着部５Ｄを設けていない残りの外縁には、加熱加圧して所定の幅だけ平坦な平坦部５Ｃを形成する。これにより、層状網目部５Ａがほつれず、保冷容器用シート５の強度・寿命を向上できる。
【００４０】
さらに本願発明は、筐体１に収容した収容物４上に保冷容器用シート５を載せるだけでも実施可能であるが、保冷容器用シート５の一側辺を加熱加圧して扁平な接着部５Ｄを形成し、この接着部５Ｄを介して筐体１の内壁に直接取り付けても良い。このことにより、既製の保冷容器３に対して保冷容器用シート５を簡単に後付けでき、保冷容器用シート５が紛失しにくくなる。
【００４１】
さらに、この接着部５Ｄに面ファスナー５Ｄ−１を設け、これと対をなすもう一方の面ファスナー５Ｅ―２を帯状のシート取付具５Ｅに備え、このシート取付具５Ｅに備える接着面５Ｅ−１を筐体１の内壁に接着して保冷容器用シート５を保冷容器３に対し着脱自在に取り付けても良く、既製の保冷容器３に対して保冷容器用シート５を簡単に後付けでき、保冷容器用シート５が紛失しにくくなり、加えて、保冷容器用シート５の交換が容易になる。
【００４２】
この保冷容器用シート５を筐体１に固定する際に、層状網目部５Ａにより収容物４を筐体１の上部から底部へ押さえ込むようにすれば、層状網目部５Ａは常温や低温で弾性を持ち変形しにくい熱可塑性樹脂により構成されているので、柔軟性・復元性に富んでおり、収容物４を衝撃から保護することが可能である。
【００４３】
次に作用について説明する。
図３はこの発明の実施の形態１による保冷容器の作用を説明するための図である。図３において、６，６Ｌ，６Ｍ，６Ｓはドライアイス砕片である。
【００４４】
上蓋２を開け、開口部から収容物４を筐体１に収容する。続いて、収容物４を覆うように保冷容器用シート５をシート取付具５Ｅにより筐体１に固定し、層状網目部５Ａ上にドライアイス砕片６を均一に散布する（図３（ａ））。このとき、層状網目部５Ａは上述の網目構造であるため、層状網目部５Ａの網目よりも小さいサイズのドライアイス砕片６Ｓは、層状網目部５Ａの網目を通過して収容物４の隙間を落下し、筐体１の底部に溜まる（図３（ｂ））。
【００４５】
一方、層状網目部５Ａの網目よりも大きなサイズのドライアイス砕片６Ｍ，６Ｌは層状網目部５Ａの網目に引っかかり、その一部は中サイズのドライアイス砕片６Ｍとして層状網目部５Ａの厚みの中に留まり（図３（ｂ））、残りの一部は大サイズのドライアイス砕片６Ｌとして層状網目部５Ａの上面に留まる（図３（ｂ））。つまり、筐体１の底部および上部にドライアイス砕片６Ｓ，６Ｍ，６Ｌがそれぞれ分散して保持される。
【００４６】
さらに、図３（ｂ）の状態からある程度の時間が経過すると、昇華や破損などによりドライアイス砕片６Ｓは完全に気化し、ドライアイス砕片６Ｍ，６Ｌも同様にサイズが小さくなる。すると、ドライアイス砕片６Ｍは層状網目部５Ａの厚みの中から筐体１の底部へ、ドライアイス砕片６Ｌは層状網目部５Ａの上面からその厚みの中へそれぞれ落下するようになる（図３（ｃ））。したがって、ある程度の時間が経過しても、筐体１の底部および上部の両方にドライアイス砕片６Ｍ，６Ｌがそれぞれ分散保持された状態が維持される。
【００４７】
このように、保冷容器用シート５の層状網目部５Ａを筺体１の収容物４上に設け、層状網目部５Ａ上にドライアイス砕片６を散布してフィルタリングしているので、ドライアイス６の粉砕・散布という従来同様の単純な作業をするだけで、ドライアイス砕片６Ｓとドライアイス砕片６Ｍ，６Ｌとを筐体１の底部および上部にバランス良く分布させられ、冷気分布を均一にできる。
【００４８】
したがって、筐体１の底部に溜まったドライアイス砕片６Ｓにより、車両の荷台で発生し筐体１の底部を介して伝わる熱の影響を抑制できる。と同時に、保冷容器用シート５に留まったドライアイス砕片６Ｍ，６Ｌの冷気が層状網目部５Ａの網目を通過して筐体１の上部から底部へと流れ、収容物４全体を保冷できる。
【００４９】
加えて、図３（ｂ）から図３（ｃ）で説明したように、層状で厚みを有する層状網目部５Ａによってドライアイス砕片６Ｍ，６Ｌがその層内に保持されるため、網目をすぐに通過してしまうような構造とは違い、ドライアイス砕片６Ｍ，６Ｌが筐体１の上部にある程度留まるため、保冷効果が持続する。
【００５０】
また、次のような効果も期待できる。
図４はこの発明の実施の形態１による保冷容器の効果の一つを説明するための図である。
例えば保冷容器３を使って収容物４の小分け配送を行う場合には、収容物４の出し入れ作業が頻繁に行われるため、同時に、上蓋２および保冷容器用シート５の開け閉めも頻繁に行われる。
【００５１】
この収容物４の出し入れ作業の際に保冷容器用シート５を開けると、図４のブロック矢印７ｄの方向へドライアイス砕片６Ｍが移動するように重力が働く。しかしながら、層状網目部５Ａの厚みの中では、その網目構造のおかげでドライアイス砕片６Ｍはブロック矢印７ｕの方向へ保持され、ドライアイス砕片６Ｍが移動して偏るような状態は起こりにくく、冷気分布が不均一になりにくい。
【００５２】
したがって、収容物４の出し入れ作業の場合のみならず、保冷容器３を持ち運ぶ際に振動が生じても、ドライアイス砕片６Ｍの移動・偏りはあまり起こらなくなり、冷気分布が不均一になるのを防止できる。
【００５３】
以上のように、この実施の形態１によれば、筺体１に収容した収容物４と筐体１の開口部との間に層状網目部５Ａを備えた保冷容器用シート５を設け、層状網目部５Ａ上にドライアイス砕片６を散布しているので、ドライアイス６の粉砕・散布という従来同様の単純な作業をするだけで、ドライアイス砕片６Ｓとドライアイス砕片６Ｍ，６Ｌとを筺体１の底部および上部にバランス良く分布させられるようになり、車両の荷台からの伝熱の影響をドライアイス砕片６Ｓにより抑制できるという効果が得られ、ドライアイス砕片６Ｍ，６Ｌの冷気が筐体１の上部から底部へと流れて収容物４全体を保冷できるという効果が得られる。
【００５４】
また、この実施の形態１によれば、保冷容器用シート５の一側辺を加熱加圧して扁平な接着部５Ｄを形成し、この接着部５Ｄを介して筐体１の内壁に取り付けたので、既製の保冷容器３に対して保冷容器用シート５を筐体１に簡単に後付けできるという効果が得られ、保冷容器用シート５が紛失しにくくなるという効果が得られる。
【００５５】
さらに、この実施の形態１によれば、接着部５Ｄに面ファスナー５Ｄ−１を設け、これと対をなすもう一方の面ファスナー５Ｅ―２を帯状のシート取付具５Ｅに備え、このシート取付具５Ｅに備える接着面５Ｅ−１を筐体１の内壁に接着して保冷容器用シート５を保冷容器３に対し着脱自在に取り付けたので、既製の保冷容器３に対して保冷容器用シート５を簡単に後付けできるという効果が得られ、保冷容器用シート５が紛失しにくくなるという効果が得られ、加えて、保冷容器用シート５の交換が容易になるという効果が得られる。
【００５６】
さらに、この実施の形態１によれば、層状網目部５Ａが収容物４を筐体１の上部から底部へ押さえ込むように、保冷容器用シート５を筐体１に取り付けたので、層状網目部５Ａの弾性により収容物４を柔らかく保護できるという効果が得られる。
【００５７】
さらに、この実施の形態１によれば、保冷容器用シート５の外縁を所定の幅だけ平坦化した平坦部５Ｃを設けたので、保冷容器用シート５がほつれにくくなり、保冷容器用シート５の強度・寿命を向上できるという効果が得られる。
【００５８】
実施の形態２．
図５はこの発明の実施の形態２による保冷容器の構成を示す図である。
図５において、８は層状網目部５Ａより網目の細かいメッシュシートであり、筐体１に取り付けた保冷容器用シート５の底面に貼り付けられている。
【００５９】
メッシュシート８を保冷容器用シート５の底面に貼り付けることで、層状網目部５Ａの網目より小さなドライアイス砕片６Ｓもメッシュシート８に通過を阻止され、保冷容器３の底部まで落下しなくなる。このため、収容物４を保冷容器３の外に取り出すとき、ドライアイス砕片６Ｓが手に触れて低温火傷を起こすような危険がなくなり、安全である。
【００６０】
また、ガス透過性シート１０５を用いた特許文献１の場合、ガス透過性シート１０５の上でドライアイス砕片１０６が一ヶ所に固まってしまったり、ガス透過性シート１０５の網目が霜で塞がれ通気性が低下し、冷気が通過しなくなってしまうことがある。しかしながら、この実施の形態２では、大きなドライアイス砕片６Ｍ，６Ｌは層状網目部５Ａの表層に留まりメッシュシート８まで到達しないから、ドライアイス砕片１０６が一ヶ所に固まることもないし、メッシュシート８には霜が付着しないため、ドライアイス砕片６の冷気が筐体１の内部に行き渡らないという不都合も回避できる。
【００６１】
なお、メッシュシート８を貼り付ける際には、メッシュシート８を保冷容器用シート５に接着剤などで貼り付けても良いし、面ファスナーを用いて着脱可能なように貼り付けても良い。
【００６２】
以上のように、この実施の形態２によれば、保冷容器用シート５の底面にメッシュシート８を備えたので、層状網目部５Ａの網目より小さなドライアイス砕片６Ｓもメッシュシート８に通過を阻止され保冷容器３の底部に落下しなくなり、収容物４を外に取り出すときにドライアイス砕片６Ｓが手に触れて低温火傷を起こすような危険がなくなり、安全性を向上できるという効果が得られ、また、ドライアイス砕片６Ｍ，６Ｌは層状網目部５Ａの表層に留まりメッシュシート８まで到達しないため、メッシュシート８に霜が付着して通気性が低下するという事態を回避でき、ドライアイス砕片６の冷気が筐体１の内部に行き渡らないという不都合も回避できるという効果が得られる。
【００６３】
実施の形態３．
実施の形態１で説明した保冷容器用シートを以下のように使うこともできる。
図６はこの発明の実施の形態３による保冷容器の構成を示す図である。
図６において、９は筐体１の内部底面に敷設する形状をした保冷容器用シートである。この実施の形態３では、筐体１の底部に保冷容器用シート９を敷き、この保冷容器用シート９の上に収容物４を収容している。
【００６４】
保冷容器用シート９を敷くと、保冷容器用シート９の層状網目部の厚みの分だけ筺体１の底部から収容物４が離れる。したがって、この離れた分だけ、収容物４に対する伝熱の影響を軽減できる。また、筐体１の底部全面に渡ってドライアイス６の冷気が広がり、底部の保冷効果を改善できる。さらに、保冷容器用シート９上に収容物４を収容するので、保冷容器用シート９の弾性により筐体１の底部から収容物４に伝わる衝撃を緩和できる。
【００６５】
なお、この実施の形態３では、保冷容器用シート９を単独で用いたが、図７に示すように、実施の形態１で示した保冷容器用シート５と保冷容器用シート９とを組み合わせて保冷容器３を構成しても良いし、図示は省略するが、実施の形態２で示したメッシュシート８を図７の構成にさらに追加しても良い。
【００６６】
また、この実施の形態３では、保冷容器用シート９を筐体１の底部と収容物４との間に設けたが、これに限定されるものではない。例えば、図示は省略するが、筐体１の内壁と収容物４との間に、筐体１の内壁に沿って敷設する形状をした保冷容器用シートを設けても良く、収容物４に対する内壁からの伝熱の影響を軽減でき、ドライアイス６の冷気が筐体１内に広げられ、収容物４に伝わる衝撃を緩和できるという効果が得られる。さらに、収容物４同士の間に保冷容器用シートを設けても良く、ドライアイス６の冷気が筐体１内に広げられ、収容物４に伝わる衝撃を緩和できる。
【００６７】
特に、筐体１の底部と収容物４との間、筐体１の内壁と収容物４との間、および収容物４同士の間の各箇所に保冷容器用シート９をそれぞれ適宜設けるようにすれば、ドライアイス砕片６の冷気が筐体１全体をくまなく行き渡るためのスペースが張り巡らされ、保冷効果をさらに改善できる。
【００６８】
以上のように、この実施の形態３によれば、筐体１の底部と収容物４との間に、筐体１の内部底面に敷設する形状をした保冷容器用シート９を設けたので、底部からの伝熱の影響を軽減でき、底部の保冷効果を改善でき、底部から収容物４に伝わる衝撃を緩和できるという効果が得られる。
【００６９】
また、この実施の形態３によれば、筐体１の内壁と収容物４との間、収容物４同士の間に保冷容器用シートを設けたので、筐体１内の保冷効果を改善でき、収容物４に伝わる衝撃を緩和できるという効果が得られる。特に、各箇所に保冷容器用シート９をそれぞれ設けることにより、ドライアイス砕片６の冷気が筐体１全体をくまなく行き渡るためのスペースが張り巡らされ、保冷効果をさらに改善できるという効果が得られる。
【００７０】
以上の各実施の形態１〜３では、保冷剤としてドライアイス砕片６を保冷容器３に散布したが、本願発明はこれに限定されるものではなく、氷を粉砕して用いる場合など、他の保冷剤であっても同様の効果が得られる。
【符号の説明】
【００７１】
１  筐体、２  上蓋、３  保冷容器、４  収容物、５  保冷容器用シート、５Ａ  層状網目部、５Ｂ  ツマミ部、５Ｃ  平坦部、５Ｄ  接着部、５Ｄ−１  面ファスナー、５Ｅ  シート取付具、５Ｅ−１  接着面、５Ｅ−２  面ファスナー、６，６Ｌ，６Ｍ，６Ｓ  ドライアイス砕片、７ｄ，７ｕ  ブロック矢印、８  メッシュシート、９  保冷容器用シート。
【図１】
2011148514.tif 000003
【図２】
2011148514.tif 000004
【図３】
2011148514.tif 000005
【図４】
2011148514.tif 000006
【図５】
2011148514.tif 000007
【図６】
2011148514.tif 000008
【図７】
2011148514.tif 000009
【図８】
2011148514.tif 000010